(57)【要約】【課題】外形寸法の変化および撓みを抑制できることによって、筬との良好な密着性を確保できるとともに、載置される筬の高さのずれを抑制でき、その結果、適切な発音を得ることができるピアノの棚板を提供する。【解決手段】鍵盤４を支持する筬３が載置されるピアノの棚板１であって、木質材から成る棚板本体２１と、合成樹脂から成るとともに上面が平らな板状部材で構成され、棚板本体２１上の筬３を載置すべき部位に取り付けられた筬載置プレート２２と、を備えている。【選択図】図１
2010112991.tif 000002
【特許請求の範囲】
【請求項１】
鍵盤を支持する筬が載置されるピアノの棚板であって、
木質材から成る棚板本体と、
合成樹脂から成るとともに上面が平らな板状部材で構成され、前記棚板本体上の前記筬を載置すべき部位に取り付けられた筬載置部と、
を備えていることを特徴とするピアノの棚板。
【請求項２】
前記筬は、いずれも左右方向に延びるとともに互いに前後方向に間隔を隔てて配置された筬前、筬中および筬後を有しており、
前記筬載置部は、前記筬前、前記筬中および前記筬後にそれぞれ対応し、いずれも左右方向に延びるとともに互いに前後方向に間隔を隔てて配置された筬前載置部、筬中載置部および筬後載置部を有していることを特徴とする請求項１に記載のピアノの棚板。
【請求項３】
前記筬前載置部、前記筬中載置部および前記筬後載置部は、上面が互いに面一になるように配置されており、
前記棚板本体は、上面が平らな板状部材で構成され、前記筬前載置部と前記筬中載置部の間、および前記筬中載置部と前記筬後載置部の間に設けられ、左右方向に延びるとともに、当該筬前載置部、当該筬中載置部および当該筬後載置部に対し、上面が面一でかつ所定の隙間を存するように配置された介在部を有していることを特徴とする請求項２に記載のピアノの棚板。
【請求項４】
前記筬載置部が、前記筬の平面形状の外形よりも大きい平面形状を有することを特徴とする請求項１に記載のピアノの棚板。
【発明の詳細な説明】
【技術分野】
【０００１】
本発明は、鍵盤を支持する筬が載置されるピアノの棚板に関する。
【背景技術】
【０００２】
一般に、グランドピアノなどのアコースティックピアノでは、鍵盤が筬に載置された状態で支持され、さらにその筬が、水平な棚板に載置されている。筬は、木質材を井桁状に組み立てたものであり、左右方向に延びる筬前、筬中および筬後や、これらを連結する前後方向に延びる筬妻および筬中束などで構成されている。筬中の下面には、複数の筬すべり金具が取り付けられており、これらの筬すべり金具が、筬前および筬後とともに、棚板の上面に接した状態で、筬が棚板に載置されている。また、筬に支持された鍵盤は、左右方向に並んだ多数の鍵を有しており、各鍵が、筬中に立設されたバランスピンを中心として揺動自在に支持されている。さらに、鍵盤の後部には、左右方向に並んだ多数のアクションおよびハンマーが載置されており、両者が鍵ごとに設けられている。
【０００３】
一方、棚板は、例えば特許文献１に開示されているように、合板やパーティクルボードなどの木質材で構成され、所定の厚さ（例えば４５ｍｍ）を有するとともに、平面形状が筬のそれよりも大きい横長矩形で、かつ上面が平らに形成されている。そして、この棚板は、ピアノの側板の左右の前部下面の間に取り付けられ、水平に支持されている。このような棚板に載置された筬は、ピアノの演奏時にソフトペダルが操作されると、右方へスライドし、それにより、押鍵に伴って回動するハンマーの打弦位置が弦に対して若干ずれることによって、所定のソフトペダル効果が得られる。
【０００４】
上述したように、従来の棚板は、木質材で構成されているので、乾湿による影響を受けやすく、収縮や膨張によって、外形寸法が変化することがある。特に、棚板の上面において凹凸が生じることによって、棚板上の筬を載置する部位の高さが不均一になると、棚板とそれに載置された筬との密着性が低下するとともに、筬の高さが適正な高さに対してずれてしまう。また、棚板には、筬、鍵盤、アクションおよびハンマーなどの重さによる荷重が上方から作用するのに起因して、また、棚板上におけるソフトペダル操作時の上記荷重の移動や、棚板の自重によっても、棚板自体が下方に撓みやすく、この場合もやはり、棚板と筬の密着性の低下、および筬の高さのずれが生じてしまう。
【０００５】
上記のように、棚板と筬の密着性が低下すると、棚板上における筬の安定性が損なわれてしまう。この場合には、演奏者が鍵を押鍵したときの力が、逃げやすく、アクションやハンマーに十分に伝わらないことがあり、その結果、ハンマーの打弦による適切な発音が得られなくなる。加えて、演奏時に、筬のがたつきなどによって、雑音が発生してしまうこともある。また、筬の高さが適正な高さに対してずれると、弦とハンマーの間の距離も適正値からずれ、やはり適切な発音が得られなくなる。これらの場合には、ピアノの調律や整調（鍵盤やアクション、ハンマーなどの動作の調整）が必要となるが、特に、筬の高さが低音側と高音側で異なる場合、調律師にとって、その作業が非常に煩雑となる。さらに、演奏時におけるソフトペダルの操作によって、筬が棚板上をスライドすることにより、棚板に傷が付いてしまうという問題もある。
【０００６】
本発明は、以上のような課題を解決するためになされたものであり、外形寸法の変化および撓みを抑制できることによって、筬との良好な密着性を確保できるとともに、載置される筬の高さのずれを抑制でき、その結果、適切な発音を得ることができるピアノの棚板を提供することを目的とする。
【０００７】
【特許文献１】特開２００１−９２４４６号公報
【発明の開示】
【課題を解決するための手段】
【０００８】
上記の目的を達成するために、請求項１に係る発明は、鍵盤を支持する筬が載置されるピアノの棚板であって、木質材から成る棚板本体と、合成樹脂から成るとともに上面が平らな板状部材で構成され、棚板本体上の筬を載置すべき部位に取り付けられた筬載置部と、を備えていることを特徴とする。
【０００９】
この構成によれば、棚板本体上の筬を載置すべき部位に、所定の筬載置部が取り付けられている。棚板本体は、一般的な棚板と同様、木質材で構成される一方、筬載置部は、合成樹脂から成るとともに上面が平らな板状部材で構成されている。合成樹脂は一般に、乾湿による影響を受けにくく、また剛性が比較的高いので、筬を載置すべき部位において、木質材で構成された従来の棚板に比べて、外形の寸法変化および撓みを抑制できる棚板を得ることができる。これにより、棚板と筬との良好な密着性を確保できるとともに、適正な高さに対する筬の高さのずれを抑制でき、その結果、適切な発音を得ることができる。また、筬載置部として、摩擦係数が比較的小さい合成樹脂を採用することにより、ソフトペダル操作時の筬との間の摩擦力を低減でき、それにより、ソフトペダル操作時における筬の円滑なスライドを実現できるとともに、棚板に傷が付くのを防止することができる。
【００１０】
請求項２に係る発明は、請求項１に記載のピアノの棚板において、筬は、いずれも左右方向に延びるとともに互いに前後方向に間隔を隔てて配置された筬前、筬中および筬後を有しており、筬載置部は、筬前、筬中および筬後にそれぞれ対応し、いずれも左右方向に延びるとともに互いに前後方向に間隔を隔てて配置された筬前載置部、筬中載置部および筬後載置部を有していることを特徴とする。
【００１１】
この構成によれば、筬は、筬前、筬中および筬後を有しており、これらがいずれも左右方向に延びるとともに、互いに前後方向に間隔を隔てて配置されている。一方、筬載置部は、筬前、筬中および筬後にそれぞれ対応する筬前載置部、筬中載置部および筬後載置部を有しており、これらがいずれも左右方向に延びるとともに、互いに前後方向に間隔を隔てて配置されている。つまり、筬が棚板に載置された状態では、筬の棚板に接する部分である筬前、筬中および筬後が、いずれも合成樹脂から成る筬前載置部、筬中載置部および筬後載置部にそれぞれ載置される。このように、棚板のうち、筬前載置部、筬中載置部および筬後載置部のみを合成樹脂で構成することにより、例えば棚板の上面全体を合成樹脂で構成する場合に比べて、棚板の製造コストの上昇を抑制することができる。
【００１２】
請求項３に係る発明は、請求項２に記載のピアノの棚板において、筬前載置部、筬中載置部および筬後載置部は、上面が互いに面一になるように配置されており、棚板本体は、上面が平らな板状部材で構成され、筬前載置部と筬中載置部の間、および筬中載置部と筬後載置部の間に設けられ、左右方向に延びるとともに、筬前載置部、筬中載置部および筬後載置部に対し、上面が面一でかつ所定の隙間を存するように配置された介在部を有していることを特徴とする。
【００１３】
この構成によれば、筬前載置部、筬中載置部および筬後載置部は、上面が互いに面一になるように配置され、これらの載置部の間にそれぞれ、棚板本体の介在部が設けられている。これらの介在部は、上面が平らな板状部材で構成され、左右方向に延びるとともに、筬前載置部、筬中載置部および筬後載置部に対し、上面が面一になるように配置されている。これにより、棚板の上面は、前側の筬前載置部から後ろ側の筬後載置部の全体にわたり、平らな状態になる。また、介在部は、木質材から成り、筬前載置部、筬中載置部および筬後載置部に対し、所定の隙間を存するように配置されているので、乾湿の影響によって膨張する場合でも、上記の隙間が、介在部に生じる応力の逃げとして機能し、それにより、介在部の上面における凹凸の発生を抑制することができる。
【００１４】
一般に、グランドピアノでは、整調を行う際などに、筬を棚板上でスライドさせながら、筬に載置された鍵盤やアクション、ハンマーなどが、筬とともにピアノの前方に引き出される。したがって、上記の構成によれば、介在部を含め、棚板上の筬前載置部から筬後載置部の全体を平らな状態に保つことができるので、整調などの際に、筬を前後方向に円滑にスライドさせることができる。
【００１５】
請求項４に係る発明は、請求項１に記載のピアノの棚板において、筬載置部が、筬の平面形状の外形よりも大きい平面形状を有することを特徴とする。
【００１６】
この構成によれば、上述した請求項３と同様、整調などの際に、筬を前後方向に円滑にスライドさせることができる。
【発明を実施するための最良の形態】
【００１７】
以下、図面を参照しながら、本発明の好ましい実施形態を詳細に説明する。図１は、本発明の第１実施形態によるピアノの棚板を適用したグランドピアノの棚板１およびこれに載置される鍵盤装置２を示している。同図に示すように、鍵盤装置２は、筬３と、筬３上に載置され、左右方向に並んだ多数の鍵４ａ（図１では白鍵および黒鍵を１つずつ図示）で構成された鍵盤４などを備えている。
【００１８】
筬３は、スプルスなどの木質材を井桁状に組み立てたものであり、左右方向に延びる筬前１１、筬中１２および筬後１３、ならびにこれらを連結する前後方向に延びる左右の筬妻１４、１４、およびそれらの間に互いに左右方向に間隔を隔てて配置された複数の筬中束１５などで構成されている。筬前１１および筬中１２にはそれぞれ、多数のフロントピン１６およびバランスピン１７（図１ではいずれも一部のみ図示）が立設されており、各鍵４ａが、対応するバランスピン１７を中心として揺動自在に支持されるとともに、フロントピン１６により横振れが防止されるようになっている。
【００１９】
また、筬中１２の下面には、球面状の頭部を有するボルトから成る複数（例えば６つ）の筬すべり金具１８（図１では１つのみ図示）が、筬中１２の長さ方向に沿って、互いに間隔を隔ててねじ込まれている。筬中１２には、複数の筬すべり金具１８にそれぞれ対応し、筬すべり金具１８に上方からアクセス可能な複数の調整孔（図示せず）が設けられている。したがって、筬すべり金具１８を調整する場合、調整孔にドライバーなどの工具を上方から挿入し、筬すべり金具１８を回すことによって、筬中１２からの突出長さを容易に調整することができる。
【００２０】
なお、図示は省略するが、鍵盤４の後部には、一般的なピアノと同様、左右方向に並んだ多数のアクションおよびハンマーが載置されており、両者が鍵ごとに設けられている。
【００２１】
図２（ａ）および（ｂ）はそれぞれ、棚板１を真上および真下から見たときの状態を示しており、また図３は、棚板１において、後述する棚板本体２１から筬載置プレート２２（筬載置部）およびペダル支持プレート２３を分離した状態を示している。両図に示すように、棚板１は、木質材から成る棚板本体２１と、この棚板本体２１の上面側に取り付けられた合成樹脂製の筬載置プレート２２（筬載置部）と、棚板本体２１の下面側に取り付けられた合成樹脂製のペダル支持プレート２３とを備えている。
【００２２】
棚板本体２１は、木質材（例えば、ラワン、スプルスまたはブナなど）から成る複数の板材を、互いに厚さ方向に接着することによって構成されている。具体的には、棚板本体２１は、棚板１と同じ横長矩形の平面形状を有する芯板３１と、この芯板３１の左右の縁部に前後方向に延びるように設けられ、芯板３１を上下から挟むように接着された上縁板３２および下縁板３３と、両上縁板３２、３２間にわたって左右方向に延び、芯板３１の上面の所定位置に接着された複数（本実施形態では４つ）の横板（以下「上側横板」という）３４と、両下縁板３３、３３間にわたって左右方向に延び、芯板３１の下面の所定位置に接着された複数（本実施形態では５つ）の横板（以下「下側横板」という）３５とで構成されている。
【００２３】
４つの上側横板３４は、いずれも上面が平らでかつ互いにほぼ同じサイズに成形されており、互いに上面が面一になるように配置されている。また、これらの上側横板３４のうち、前側の２つの上側横板３４、３４（介在部）が、互いに前後方向に隣り合うように配置され、これらから後方に所定間隔を隔てて、前から３つ目の上側横板３４（介在部）が配置され、さらに、後方に所定間隔を隔てて、前から４つ目の上側横板３４が配置されている。一方、複数の下側横板３５は、いずれも下面が平らでかつ互いにほぼ同じサイズに成形されており、互いに下面が面一になるように配置されている。また、これらの下側横板３５のうち、前側の２つの下側横板３５、３５が、互いに前後方向に隣り合うように配置され、これらから後方に所定間隔を隔てて、後ろ側の３つの下側横板３５、３５、３５が、互いに前後方向に隣り合うように配置されている。
【００２４】
筬載置プレート２２は、剛性が比較的高くかつ摩擦係数が比較的小さい所定の合成樹脂（例えば、ポリテトラフルオロエチレンなどのフッ素樹脂）から成り、棚板１上に筬３が載置されたときに、筬前１１、筬中１２および筬後１３がそれぞれ載置される筬前載置部３６、筬中載置部３７および筬後載置部３８で構成されている。これらの筬前載置部３６、筬中載置部３７および筬後載置部３８はいずれも、前記上側横板３４とほぼ同じ形状およびサイズを有するとともに、上面が平らな板状部材で構成されており、左右の上縁板３２、３２間にわたって左右方向に延び、互いに前後方向に所定間隔を隔てて、芯板３１の上面の所定位置に接着されている。また、筬前載置部３６、筬中載置部３７および筬後載置部３８は、上面が互いに面一になるように配置されている。なお、これらの載置部３６、３７および３８は、例えば水性ビニルウレタン樹脂などから成る接着剤を用いて、芯板３１に接着されている。
【００２５】
一方、ペダル支持プレート２３は、剛性が高い所定の合成樹脂（例えば、炭素繊維入りのＡＢＳなど）から成り、前記下側横板３５に対して、前後方向に約２倍の幅を有し、左右の下縁板３３、３３間にわたって左右方向に延び、芯板３１の下面の所定位置に、上記の筬載置プレート２２と同様に接着されている。
【００２６】
なお、図示は省略するが、以上のように構成された棚板１は、ピアノの側板の左右の前部下面に、左右の上縁板３２、３２が接着された状態で、水平に支持される。また、上記のペダル支持プレート２３には、上下方向に延びるペダル柱の上端部が連結され、このペダル柱を介して、ソフトペダルを含む３つのペダルが吊り下げられた状態で支持される。
【００２７】
図４（ａ）は、棚板１に鍵盤装置２を載置した状態を示している。同図に示すように、筬３の筬前１１および筬後１３はそれぞれ、棚板１の筬前載置部３６および筬後載置部３８に直接、載置される一方、筬中１２は、筬すべり金具１８を介して、筬中載置部３７に載置される。また、棚板１の各上側横板３４は、筬前載置部３６、筬中載置部３７および筬後載置部３８に対し、上面が面一でかつ所定の隙間Ｓ（たとえば１ｍｍ、図４（ｂ）参照）を存するように配置されている。つまり、棚板１は、その上面全体が平らな状態になっている。また、上述したように、木質材から成る上側横板３４は、筬前載置部３６、筬中載置部３７および筬後載置部３８に対し、隙間Ｓを存するように配置されているので、乾湿の影響によって膨張する場合でも、上記の隙間Ｓが、上側横板３４に生じる応力の逃げとして機能し、それにより、上側横板３４の上面における凹凸の発生を抑制することができる。
【００２８】
以上詳述したように、本実施形態によれば、棚板本体２１が、一般的な棚板と同様、木質材で構成される一方、筬３の筬前１１、筬中１２および筬後１３がそれぞれ載置される筬前載置部３６、筬中載置部３７および筬後載置部３８が、所定の合成樹脂で構成されている。この合成樹脂は、乾湿による影響を受けにくいとともに剛性が比較的高いので、木質材で構成された従来の棚板に比べて、外形の寸法変化および撓みを抑制できる棚板１を得ることができる。これにより、棚板１と筬３との良好な密着性を確保できるとともに、適正な高さに対する筬３の高さのずれを抑制でき、その結果、適切な発音を得ることができる。また、筬前載置部３６、筬中載置部３７および筬後載置部３８に採用した合成樹脂は、摩擦係数が比較的小さいので、ソフトペダル操作時の筬３との間の摩擦力を低減でき、それにより、ソフトペダル操作時における筬３の円滑なスライドを実現できるとともに、棚板１に傷が付くのを防止することができる。
【００２９】
また、棚板１では、上側横板３４を含め、棚板１上の筬前載置部３６から筬後載置部３８の全体を平らな状態に保つことができる。それにより、ピアノの整調などの際に、筬３を前後方向に円滑にスライドさせることができる。
【００３０】
次に、図５および図６を参照して、本発明の第２実施形態について説明する。なお、以下の説明では、上述した第１実施形態と同じ構成部品については同一の符号を付し、第１実施形態との相違点を中心に説明するものとする。
【００３１】
図５および図６に示すように、本実施形態の棚板４１は、棚板本体４２と、この棚板本体４２の上面側および下面側にそれぞれ取り付けられた筬載置プレート４３（筬載置部）およびペダル支持プレート２３とを備えている。棚板本体４２は、木質材（例えば、ラワン、スプルスまたはブナなど）から成る複数の板材を、実矧ぎなどで接合することによって、横長矩形の平面形状を有するように形成されている。
【００３２】
この棚板本体４２の上面側には、左右両縁部および後縁部以外の部分を所定の深さに切削した上側凹部４２ａが形成されており、この上側凹部４２ａに、筬載置プレート４３が嵌め込まれた状態で、第１実施形態と同様に接着されている。この筬載置プレート４３は、第１実施形態の筬載置プレート２２と同様の合成樹脂から成り、上面が平らでかつ筬３の平面形状の外形よりも一回り大きい平面形状を有している。また、棚板本体４２の下面側の所定位置には、所定の深さに切削した下側凹部４２ｂが形成されており、この下側凹部４２ｂに、第１実施形態と同じペダル支持プレート２３が嵌め込まれた状態で接着されている。
【００３３】
この棚板４１によれば、第１実施形態の棚板１に比べて、筬載置プレート４３を作製するための合成樹脂をより多く使用するものの、棚板１と同様の効果を得ることができる。
【００３４】
なお、本発明は、説明した上記実施形態に限定されることなく、種々の態様で実施することができる。実施形態では、本発明の棚板１および４１を、グランドピアノの棚板に適用した場合について説明したが、アップライトピアノの棚板にも、もちろん適用することが可能である。また、実施形態では、筬載置プレート２２および４３の構成材料である合成樹脂として、フッ素樹脂を例示したが、本発明はこれに限定されるものではなく、乾湿による影響を受けにくいとともに剛性が比較的高い他の種類の合成樹脂を、筬載置プレート２２および４３に採用することが可能である。また、実施形態で示した棚板１および４１や、筬載置プレート２２および４３の細部の構成などは、あくまで例示であり、本発明の趣旨の範囲内で適宜、変更することができる。
【図面の簡単な説明】
【００３５】
【図１】本発明の第１実施形態によるグランドピアノの棚板、およびこれに載置される鍵盤装置を、上下に離した状態で示す斜視図である。
【図２】第１実施形態の棚板を示す平面図であり、（ａ）は真上から、（ｂ）は真下から見た状態を示す。
【図３】第１実施形態の棚板において、棚板本体から筬載置プレートおよびペダル支持プレートを分離した状態を示す斜視図である。
【図４】（ａ）は、第１実施形態の棚板に鍵盤装置を載置した状態における棚板の側断面図であり、（ｂ）は、（ａ）の一点鎖線の円内を拡大して示す図である。
【図５】本発明の第２実施形態によるグランドピアノの棚板、およびこれに載置される鍵盤装置を、上下に離した状態で示す斜視図である。
【図６】第２実施形態の棚板に鍵盤装置を載置した状態における棚板の側断面図である。
【符号の説明】
【００３６】
１  棚板
３  筬
４  鍵盤
１１  筬前
１２  筬中
１３  筬後
２１  棚板本体
２２  筬載置プレート（筬載置部）
３４  上側横板（介在部）
３６  筬前載置部
３７  筬中載置部
３８  筬後載置部
４１  棚板
４２  棚板本体
４３  筬載置プレート（筬載置部）
Ｓ  隙間
【図１】
2010112991.tif 000003
【図２】
2010112991.tif 000004
【図３】
2010112991.tif 000005
【図４】
2010112991.tif 000006
【図５】
2010112991.tif 000007
【図６】
2010112991.tif 000008